(57)【要約】  本発明は保護具装着用インフレータに関し、上下面が開放された円筒状の構造に側面一部にキーボール挿入口（１１０）及びガス供給口（１２０）が設けられ、下部側に圧縮空気を保存するボンベ（６００）が結合される本体（１００）と、前記本体（１００）の上部開放部に回動軸（２３０）によって回転可能に結合され、偏心した円盤型のドラム部（２２０）を回転させて下向きの圧力を調節するレバー（２１０）を含む偏心レバー（２００）と、前記偏心レバー（２００）の圧力状態によって下向きに復元力を提供し、ボンベ（６００）を穿孔してそのボンベ（６００）のガスが前記ガス供給口（１２０）を通じて使用者の保護具に供給されるようにする打抜部（３００）と、前記キーボール挿入口（１１０）に挿入された状態で前記打抜部（３００）の動きを制限し、外部の状態によって前記キーボール挿入口（１１０）から離脱して前記打抜部（３００）を作動させるキーボール（４００）とを含む。
2017528375.tif 000002
【特許請求の範囲】
【請求項１】
上下面が開放された円筒状の構造に側面一部にキーボール挿入口（１１０）及びガス供給口（１２０）が設けられ、下部側に圧縮空気を保存するボンベ（６００）が結合される本体（１００）と、
前記本体（１００）の上部開放部に回動軸（２３０）によって回転可能に結合され、偏心した円盤型のドラム部（２２０）を回転させて下向きの圧力を調節するレバー（２１０）を含む偏心レバー（２００）と、
前記偏心レバー（２００）の圧力状態によって下向きに復元力を提供し、ボンベ（６００）を穿孔してそのボンベ（６００）のガスが前記ガス供給口（１２０）を通じて使用者の保護具に供給されるようにする打抜部（３００）と、
前記キーボール挿入口（１１０）に挿入された状態で前記打抜部（３００）の動きを制限し、外部の状態によって前記キーボール挿入口（１１０）から離脱して前記打抜部（３００）を作動させるキーボール（４００）とを含むことを特徴とする保護具装着用インフレータ。
【請求項２】
前記本体（１００）の上部には前記レバー（２１０）が回動可能に切開部（１３０）に設けられたことを特徴とする請求項１に記載の保護具装着用インフレータ。
【請求項３】
前記打抜部（３００）は、
復元力を有するスプリング（３２０）と、
前記スプリング（３２０）の上部側に位置して前記偏心レバー（２００）の回転による圧力の変化を受ける押圧部材（３１０）と、
前記スプリング（３２０）の下部側に結合されて、前記キーボール（４００）が離脱された時、前記スプリング（３２０）の復元力によって下向きに移動する打抜本体部（３３０）と、
前記打抜本体部（３３０）の下部に設けられて、前記ボンベ（６００）を打ち抜く打抜ピン（３４０）とを含むことを特徴とする請求項１に記載の保護具装着用インフレータ。
【請求項４】
前記打抜本体部（３３０）には打ち抜かれた前記ボンベ（６００）のガスが中空の打抜ピン（３４０）を通じて前記本体（１００）のガス供給口（１２０）側に供給する連結孔（３３１）が設けられたことを特徴とする請求項３に記載の保護具装着用インフレータ。
【発明の詳細な説明】
【技術分野】
【０００１】
本発明は保護具装着用インフレータに関し、より詳しくは、騷音及び発熱現象のない保護具装着用インフレータに関する。
【背景技術】
【０００２】
最近、韓国及び海外においてレジャースポーツを楽しむ人口が非常に早い速度で増加しており、それによる負傷または死亡事故が増加している。レジャースポーツもより多様化されて、自転車、バイクなどの交通で旅行をする人が増えており、乗馬をする人口も増加している。また、相対的に危険の高いクライミング（Ｃｌｉｍｂｉｎｇ）やパラグライディングなど多様なレジャースポーツを楽しむ人が増加しており、それによりレジャースポーツ活動中に負傷の心配が増加している。
【０００３】
このように、二輪車などの運転手や乗馬などのレジャースポーツ活動をする人を保護するために個人用保護具が開発された。個人用保護具は危険な状況でエアバッグのように保護具を膨らまして人体の損傷を防止または減らす目的で開発されており、火薬の爆発力を利用してガス容器を穿孔し、そのガス容器のガスが個人用保護具に供給される構成を有する。
【０００４】
しかしながら、従来の保護具装着用インフレータは、四輪車のエアバッグとは違って、人が直接着用する保護具と一緒に装着しなければならないため、熱及び騷音による２次被害が発生する虞がある。
【０００５】
このような問題点を考慮して提案されたのが本発明の出願人による韓国登録特許第１０−１０６６９６３号（保護具装着用インフレータ）である。この登録特許には保護具に装着されて騷音及び熱を最小化することができるインフレータの構成が記載されている。
【０００６】
しかし、このように火薬を用いるインフレータは、発熱及び騷音が発生せざるを得ず、使用後には再利用することができずに廃棄されなければならないため、多くの費用が掛かるという限界がある。
【０００７】
また、相対的にインフレータが重いため、活動量が非常に多いレジャースポーツ用の保護具に適用することが容易でないという問題点があった。
【発明の概要】
【発明が解決しようとする課題】
【０００８】
上記のような問題点に鑑みて、本発明が解決しようとする課題は、火薬を用いなくても激発が可能であり、熱及び騒音が発生しない保護具装着用インフレータを提供することにある。
【０００９】
また、本発明が解決しようとする他の課題は、繰り返し的に再利用が可能な保護具装着用インフレータを提供することにある。
【課題を解決するための手段】
【００１０】
上記のような課題を解決するための本発明の保護具装着用インフレータは、上下面が開放された円筒状の構造に側面一部にキーボール挿入口（１１０）及びガス供給口（１２０）が設けられ、下部側に圧縮空気を保存するボンベ（６００）が結合される本体（１００）と、上記本体（１００）の上部開放部に回動軸（２３０）によって回転可能に結合され、偏心された円盤型のドラム部（２２０）を回転させて下向きの圧力を調節するレバー（２１０）を含む偏心レバー（２００）と、上記偏心レバー（２００）の圧力状態によって下向きに復元力を提供し、ボンベ（６００）を穿孔してそのボンベ（６００）のガスが前記ガス供給口（１２０）を通じて使用者の保護具に供給されるようにする打抜部（３００）と、上記キーボール挿入口（１１０）に挿入された状態で上記打抜部（３００）の動きを制限し、外部の状態によって上記キーボール挿入口（１１０）から離脱して上記打抜部（３００）を作動させるキーボール（４００）とを含む。
【発明の効果】
【００１１】
本発明の保護具装着用インフレータは、火薬を用いないでワイヤが連結されたキーボールを用いることにより、騷音及び熱が発生しなくて２次被害を防止することができ、騷音及び熱を減少するための付加的構成要素が要求されないので、嵩と重量を減少することができるという効果を奏する。
【００１２】
また、本発明の保護具装着用インフレータは、繰り返し再利用が可能であるので、費用を低減することができるという効果を奏する。
【００１３】
また、本発明の保護具装着用インフレータは、偏心レバーを用いて、再利用するためにキーボールを再結合する時にも別途の部品や工具を用いる必要がなくて、使用上の便宜性を向上することができるという効果を奏する。
【図面の簡単な説明】
【００１４】
【図１】本発明の好ましい実施例による保護具装着用インフレータの分解斜視図である。
【図２】カートリッジが結合された状態の斜視図である。
【図３】本発明の装着過程を説明するための断面図である。
【図４】本発明の装着過程を説明するための断面図である。
【発明を実施するための形態】
【００１５】
以下、本発明の保護具装着用インフレータについて添付した図面を参照して詳しく説明する。
【００１６】
図１は本発明の好ましい実施例による保護具装着用インフレータの分解斜視図であり、図２は本発明にカートリッジが結合された状態の斜視図であり、図３及び図４はそれぞれ本発明の装着過程を説明するための断面構成図である。
【００１７】
図１〜図４をそれぞれ参照すれば、本発明の好ましい実施例による保護具装着用インフレータは、上下面が開放された円筒状の構造に側面一部にキーボール挿入口１１０及びガス供給口１２０が設けられた本体１００と、本体１００の上部開放部に回動軸２３０によって回転可能に結合され、偏心した円盤型のドラム部２２０を回転させて下向きの圧力を調節するレバー２１０を含む偏心レバー２００と、偏心レバー２００の圧力状態によって下向きに復元力を提供し、ボンベ６００を穿孔してそのボンベ６００のガスがガス供給口１２０を通じて使用者の保護具に供給されるようにする打抜部３００と、キーボール挿入口１１０に挿入された状態で打抜部３００の動きを制限し、外部の状態によってキーボール挿入口１１０から離脱して打抜部３００を作動させるキーボール４００とを含んで構成される。
【００１８】
以下、上記のように構成される本発明の好ましい実施例による保護具装着用インフレータの構成と作用についてさらに詳しく説明する。
【００１９】
まず、本体１００は上下に長い形状の上部と下部が開放された円筒状の構造である。本体１００の上部開放面の左右には本体１００の側面一部まで切開された切開部１３０が設けられ、この切開部１３０は前述した偏心レバー２００が回動することができる空間を提供する。
【００２０】
本体１００の下部には圧縮ガスを保存するボンベ６００が結合され、本体１００のガス供給口１２０側には保護具と本発明を固定するための設置部５００が設けられる。
【００２１】
本体１００の切開部１３０が形成された部分と９０度の方向には回動軸２１０が挿入される孔が設けられて、回動軸２３０がドラム２２０の偏心した位置を貫通して回動可能に固定する。
【００２２】
ドラム２２０は円盤型の形状で、一側にレバー２１０が設置されて、使用者がレバー２１０を操作してそのドラム２２０を回動軸２３０を中心として回転させることができる。切開部１３０によってドラム２２０は約１８０度内外で回転可能である。
【００２３】
ドラム２２０は回動軸２３０が中心に挿入されていないで、偏心した位置に位置決めされるので、ドラム２２０が回転しながら本体１００の内側の末端が回動軸２３０からの距離が変化するようになる。
【００２４】
図面を参照すれば、レバー２０を本体１００の上部側に並んで立設した場合、本体１００の内側に位置するドラム２２０の回動軸２３０からの距離が最も短く、本体１００の側面に並んでレバー２１０が位置決めされる時、回動軸２３０からドラム２２０の末端位置が本体１００の内側で最も長い位置になる。
【００２５】
従って、使用者の偏心レバー２００の操作によって物理的に本体１００の内部空間を圧縮する、または、その圧縮を解除する作用をする。偏心レバー２００が圧縮を解除する方向に回転された状態で使用者はキーボール挿入口１１０を通じてワイヤ４１０が連結されたキーボール４００を挿入することができる。
【００２６】
キーボール４００は打抜部３００が圧縮された状態を保持することができるように打抜部３００の進行を防止する役割を果たし、ワイヤ４１０が所定の力以上に引っ張られる場合、離脱して上記圧縮された打抜部３００が下向きに移動してボンベ６００を打撃することができるようにする。
【００２７】
打抜部３００は、復元力を有するスプリング３２０と、スプリング３２０の上部側に位置して、偏心レバー２００のドラム２２０の回転による圧力の変化を受ける押圧部材３１０と、スプリング３２０の下部側に結合されて、キーボール４００が離脱された時、スプリング３２０の復元力によって下向きに移動する打抜本体部３３０と、打抜本体部３３０の下部に設けられて、ボンベ６００を打ち抜く打抜ピン３４０とを含んで構成される。打抜本体部３３０には打ち抜かれたボンベ６００のガスが中空の打抜ピン３４０を通じて本体１００のガス供給口１２０側に供給されることができるように連結孔３３１が設けられる。
【００２８】
即ち、ボンベ６００が打抜ピン３４０によって打ち抜かれると、ボンベ６００内の圧縮ガスが打抜ピン３４０を通じて流出し、その流出したガスは打抜本体部３３０の内側に流入した後、連結孔３１０を通じて本体１００の内部に供給され、その後、その本体１００の側面に設けられたガス供給口１２０を通じて使用者が着用した保護具に供給される。
【００２９】
打抜部３００の作用をより詳しく説明すれば、打抜部３００は上部から押圧部材３１０、スプリング３２０、打抜本体部３３０、打抜ピン３４０が結合された構造である。この時、打抜本体部３３０と打抜ピン３４０は互いに一体に設けられることができる。
【００３０】
押圧部材３１０に作用する偏心レバー２００の圧力が弱い時の、レバー２１０が本体１００の上部側で垂直方向に上向きに延びた形状である時、押圧部材３１０に下向きに作用する圧力はなく、使用者がキーボール４００をキーボール挿入口１００に挿入するようになる。
【００３１】
キーボール４００は打抜本体部３３０の下部側の打抜ピン３４０との段差部分に係止される。打抜本体部３３０の直径は打抜ピン３４０の直径より大きいことから段差が形成される。
【００３２】
このように、キーボール４００が挿入された状態で、使用者がレバー２１０を操作してドラム２２０を回転させ、打抜部３００の押圧部材３１０に下向きの圧力を印加する。この時の圧力によって打抜本体部３３０及び打抜ピン３４０は下向きに移動すべきであるが、キーボール４００によって打抜本体部３３０の移動が制限されて、スプリング３２０が圧縮された状態になる。
【００３３】
スプリング３２０が圧縮された状態で、キーボール４００の外側に連結されたワイヤ４１０に所定の力が作用する時に、キーボール４００がキーボール挿入口１１０から離脱される。この時、ワイヤ４１０が引っ張られるというのはワイヤ４１０の末端は保護具ではない他の位置に固定されており、従って、保護具を着用した使用者が元々の位置から離脱されることで、事故の発生と見なされる。
【００３４】
このように、事故の発生時にワイヤ４１０が引っ張られると、キーボール４００がキーボール挿入口１１０から離脱され、キーボール４００の離脱によって圧縮されたスプリング３２０の圧縮が解除されながら打抜本体部３３０とその打抜本体部３３０下部の打抜ピン３４０が下向きに移動しながら、打抜ピン３４０のボンベ６００を打ち抜くようになる。
【００３５】
このように、本発明はインフレータの激発を、火薬を用いないで、スプリング３２０とキーボール４００を用いることにより、激発時の騷音が少なく、熱が発生しないので、騷音及び熱による使用者の２次被害を防止することができる。
【００３６】
また、熱の放出及び騷音の抑制のための構造が必要ないので、構造が簡単であり、嵩と重量が相対的に小さいので、動きの多いレジャースポーツの保護具に適用することが非常に容易になる。
【００３７】
このように、キーボール４００が解除されて打抜ピン３４０がボンベ６００を打ち抜けば、ボンベ６００に保存された圧縮ガスが打抜ピン３４０の内部を通じて打抜本体部３３０の内側に流入した後、連結孔３３１を通じて本体１００の内部に流出する。
【００３８】
本体１００の内側に流出したガスはガス供給部１２０を通じて保護具に供給される。この時、打抜本体部３３０は本体１００の内径と一致または微細に小さなものにして、本体１００の内側に流出したガスがキーボール挿入口１１０を通じて流出することを防止する。
【００３９】
打抜本体部３３０の円滑な動きのために、本体１００の内側にはガイド溝を設け、打抜本体部３３０には上記ガイド溝に挿入されるガイド突出部が形成されてもよい。
【００４０】
このように、事故の発生時に用いられた本発明は、新しいボンベ６００を装着し、レバー２１０を操作して本体１００の内側に作用する圧力を解消する。このような偏心レバー２００の操作で再びキーボール挿入口１１０にキーボール４００を挿入することができて、再利用が可能になる。
【００４１】
このように、本発明はレバー２１０の操作のみでキーボール４００を容易に挿入することができ、この時、別途の工具を用いる必要がないので、野外で工具がない場合にも容易に再利用が可能になる。
【００４２】
本発明は上記実施例に限定されないで本発明の技術的要旨を逸脱しない範囲内で多様に修正、変形されて実施されることができることは本発明が属する技術分野において通常の知識を有する者にとって自明である。
【産業上の利用可能性】
【００４３】
本発明は保護具に直接インフレータを設置するが、火薬を用いないので、熱及び騒音が発生せず、熱及び騒音を減少するための構造も要求しないので、装置の構造を単純化し、重量を減らし、費用を節減することができるので、産業上の利用可能性がある。
【符号の説明】
【００４４】
１００：本体
１１０：キーボール挿入口
１２０：ガス供給口
１３０：切開部
２００：偏心レバー
２１０：レバー
２２０：ドラム
２３０：回動軸
３００：打抜部
３１０：押圧部材
３２０：スプリング
３３０：打抜本体部
３３１：連結部
３４０：打抜ピン
４００：キーボール
４１０：ワイヤ
５００：設置部
６００：ボンベ
【図１】
2017528375.tif 000003
【図２】
2017528375.tif 000004
【図３】
2017528375.tif 000005
【図４】
2017528375.tif 000006
【国際調査報告】
2017528375.tif 000007
2017528375.tif 000008
2017528375.tif 000009
2017528375.tif 000010